(57)【特許請求の範囲】
【請求項１】
発振回路と、
この発振回路より出力される発振信号をバッファリングして出力する際に、前記発振信号の周波数を基本波とした場合に高調波成分となる信号を同時に発生させて出力するように構成されるバッファ回路と、
このバッファ回路より出力される複数の周波数信号の何れかを選択的に出力するための複数のフィルタ回路と、
これら複数のフィルタ回路より出力される複数の周波数信号に基づいて夫々同時に動作する異なる複数の通信システムとを備えて構成されることを特徴とする通信装置。
【請求項２】
前記バッファ回路は、前記複数の通信システムで使用される複数の周波数信号の出力レベルを、その他の周波数信号の出力レベルよりも相対的に高くして出力するように構成されていることを特徴とする請求項１記載の通信装置。
【請求項３】
前記複数の通信システムの１つは無線電話システムであり、他の１つはＧＰＳ信号受信システムであることを特徴とする請求項１または２記載の通信装置。
【請求項４】
前記無線電話システムに使用される信号の周波数を基本波ｆ１とし、前記ＧＰＳ信号受信システムに使用される信号の周波数を前記基本波ｆ１の２倍高調波ｆ２とすると、
前記バッファ回路は、
ベースに発振信号が入力されるトランジスタと、
電源と前記トランジスタのコレクタとの間に直列に接続されるコレクタ抵抗及びコイルと、
前記コレクタ抵抗及びコイルの共通接続点とグランドとの間に接続されるコンデンサとを備えて構成され、前記基本波ｆ１の３倍以上の高調波成分を遮断すると共に、２倍高調波ｆ２に対してインピーダンス整合をとるように構成されるローパスフィルタ型整合回路と、
このローパスフィルタ型整合回路の後段に接続され、前記基本波ｆ１に対してインピーダンス整合をとるように構成されるハイパスフィルタ型整合回路とを備えて構成されることを特徴とする請求項３記載の通信装置。
【発明の詳細な説明】
【０００１】
【発明の属する技術分野】
本発明は、発振回路より出力される発振信号に基づいて、複数の通信システムを動作させるように構成される通信装置に関する。
【０００２】
【従来の技術】
通信装置では、例えば信号を送信するために搬送波信号を必要とし、また、受信信号を復調するためにも前記搬送波信号と同じ周波数の信号を使用するが、そのような周波数信号を供給するためにＰＬＬ発振回路を用いるものがある。そして、ＰＬＬ発振回路によって出力される発振信号を使用する場合は、その出力レベルの変動を吸収して安定させるためにバッファ回路を介すように構成されるのが一般的である。このようなバッファ回路は、トランジスタを非線形領域（飽和領域）で動作させることで、入力される信号の振幅が若干変動した場合でも出力レベルが略一定となるようなバッファ動作（バッファリング）をなしている。
【０００３】
ところが、バッファ回路のトランジスタを非線形領域で動作させると、ＰＬＬ発振回路の出力信号波形には歪みが生じるため、その信号の周波数を基本波とする高調波成分が同時に発生してしまう。そして、高調波成分は通信装置の動作に不要であるため、バッファ回路の出力側にローパスフィルタを配置して高調波成分は濾波（フィルタリング）し、最終的に基本波成分のみを利用するようにしている。
【０００４】
【発明が解決しようとする課題】
ところで、近年は、通信装置の小形化及び多機能化が著しく進んでいるため、１つの装置において異なる複数の通信システムが搭載されるものも存在している。斯様な通信装置では、システム毎に必要な信号の周波数が異なる場合があるが、そのような場合に周波数毎に夫々発振回路を構成したり、或いは別に逓倍回路を配置すると、その分だけコストが上昇することになってしまう。逆に、発振回路の発振周波数をシステムが必要とする最も高い周波数に合わせておき、分周することも考えられるが、その場合、消費電力の増加や不要輻射対策などが問題となってしまう。
【０００５】
本発明は上記事情に鑑みてなされたものであり、その目的は、複数の通信システムが搭載される場合に、簡単な構成で１つの発振回路を共用することができる通信装置を提供することにある。
【０００６】
【課題を解決するための手段】
請求項１記載の通信装置によれば、バッファ回路は、発振回路より出力される発振信号をバッファリングする際に、前記発振信号の周波数を基本波とする高調波成分をも同時に発生させて出力する。複数のフィルタ回路は、バッファ回路より出力される複数の周波数信号の何れかを選択的に出力するように夫々の周波数特性が設定されており、それらのフィルタ回路を介して夫々出力される周波数信号は、各通信システムに供給されて使用される。
【０００７】
即ち、発振回路とバッファ回路との組み合わせにより副産物的に生成される高調波成分を複数のフィルタ回路によって適宜弁別するので、複雑な回路を必要とすることがない。そして、異なる複数の通信システムが搭載される場合でも、簡単な構成で１つの発振回路を共用して夫々に必要な周波数信号を供給することができるので、装置を安価に構成することが可能となる。
【０００８】
請求項２記載の通信装置によれば、バッファ回路は、複数の通信システムで使用される複数の周波数信号の出力レベルを、その他の周波数信号の出力レベルよりも相対的に高くして出力するように構成される。斯様に構成すれば、バッファ回路からは、実際に通信システムによって使用される周波数信号のレベルが予め高くなるように出力されるため、その後段に配置されるフィルタ回路における周波数の弁別を、より簡単に行うことが可能となる。
【０００９】
請求項３記載の通信装置によれば、複数の通信システムの１つを無線電話システムとし、他の１つをＧＰＳ信号受信システムとする。即ち、近年、ＩＳ（Interim Standard）８０１規格上で実現される位置特定システムを利用可能に構成される携帯電話機が実用に供されているが、前記の位置特定システムでは、ＧＰＳ衛星より送信される信号の受信を行うためのシステムが搭載されている。この種の携帯電話機では、無線電話システムで使用される局部発振周波数は７００ＭＨｚ帯であり、ＧＰＳ信号受信システムで使用される局部発振周波数は１．４ＧＨｚ帯となっている。即ち、両者で使用される信号の周波数比は略２倍であるから、本発明を斯様な通信装置に有効に適用することができる。
【００１０】
請求項４記載の通信装置によれば、バッファ回路におけるローパスフィルタ型整合回路は、コレクタ抵抗及びコイルの共通接続点とグランドとの間に接続されるコンデンサを備えて構成され、基本波ｆ１の３倍以上の高調波成分を遮断すると共に、２倍高調波ｆ２に対してインピーダンス整合をとるように構成される。また、ハイパスフィルタ型整合回路は、ローパスフィルタ型整合回路の後段に接続され、基本波ｆ１に対してインピーダンス整合をとるように構成される。
【００１１】
即ち、無線電話システムとＧＰＳ信号受信システムとがバッファ回路より出力される２つの周波数ｆ１，ｆ２の信号を用いるので、理想的には、それら２つの信号の出力レベルは高くし、その他の３倍以上の高調波成分の出力レベルは低くするのが好ましい。従って、斯様に構成すれば、請求項３の構成において、バッファ回路の後段に配置されるフィルタ回路における周波数の弁別を、より簡単に行うことができるようになる。
【００１２】
そして、従来回路におけるバッファ回路では、トランジスタのコレクタより信号出力を取り出し、基本波ｆ１を線路インピーダンス（例えば５０Ω）に整合させる整合回路と、ｆ２以上の高調波成分を濾波するためのローパスフィルタとが設けられていた。この構成を２倍高調波ｆ２までが必要とされる請求項３の通信装置にそのまま適用することを想定すると、ローパスフィルタについては周波数ｆ３以上の高調波成分を濾波するように設定すると共に、２倍波ｆ２についても整合を図る整合回路が更に必要となる。斯様な回路構成では必要な素子数が増加すると共に、２つの整合回路による整合条件が互いに干渉が発生することになり、両者の整合を必ずしも最適に図ることができるとは限らない。
【００１３】
これに対して、請求項４の構成によれば、基本波ｆ１の３倍以上の高調波成分を遮断するローパスフィルタ型整合回路を、コレクタ抵抗及びコイルの共通接続点とグランドとの間に接続されるコンデンサを備えて構成している。即ち、コイルは前記コンデンサと共にローパスフィルタの構成要素にもなると共に、整合回路にフィルタ回路としての機能も持たせているため、必要な素子を削減することができる。
【００１４】
また、後段のハイパスフィルタ型整合回路は、基本波ｆ１に対して整合をとるように構成されるハイパスフィルタであるから、２倍波ｆ２に対しては殆ど影響を及ぼすことがない。従って、必要な２つの周波数信号ｆ１，ｆ２の何れについても、互いに干渉することなく良好に整合を図ることができる。
【００１５】
【発明の実施の形態】
以下、本発明をＩＳ８０１規格上で実現される位置特定システムを利用可能に構成される携帯電話機に適用した場合の一実施例について図面を参照して説明する。ＩＳ８０１規格上で実現されるシステムでは、携帯電話機は、幾つかの基地局から当該基地局を表す基地局識別番号（Ｂａｓｅ−ＩＤ）を受信すると、その受信された幾つかの基地局識別番号のうちからいずれかの基地局識別番号により表される基地局を自機との間で通信する通信基地局として決定し、その通信基地局として決定された基地局を表す基地局識別番号を位置情報サーバに送信する。
【００１６】
位置情報サーバは、携帯電話機から基地局識別番号を受信すると、その受信された基地局識別番号に基づいて携帯電話機のおおよその位置を特定すると共に、携帯電話機がＧＰＳ（Grobal Positioning System ）衛星を捕捉するのに有益なアシスト情報を携帯電話機に送信する。そして、携帯電話機は、位置情報サーバからアシスト情報を受信すると、その受信されたアシスト情報に基づいてＧＰＳ衛星を捕捉する。このものによれば、携帯電話機は、位置情報サーバから受信されたアシスト情報に基づいてＧＰＳ衛星を捕捉することができる分、負荷を軽減することができ、また、測位を開始するまでの時間を短縮することができるなどの利点がある。
【００１７】
図５は、携帯電話機の機能ブロックならびに周辺の構成を概略的に示している。携帯電話機（通信装置）１は、制御部２，ＧＰＳ（Global Positioning System ）衛星３を捕捉するＧＰＳ受信部（ＧＰＳ信号受信システム）４，ＣＤＭＡ送受信部（無線電話システム）５，マイクロホン６及びスピーカ７に入出力される送受話音声を処理する音声処理部８，操作部９，表示部１０，ＲＡＭやＲＯＭから構成される記憶部１１，計時機能を有する計時部１２などを備えている。
【００１８】
制御部２はマイクロコンピュータによって構成されている。ＧＰＳ受信部４は、受信したＧＰＳ信号を無線処理するものであり、ＣＤＭＡ送受信部５は、ＣＤＭＡ（Code Division Multiple Access ：符号分割多元接続）方式に準じた電話処理を行うものである。操作部９は、「通話開始」キー、「通話終了」キー、「０」〜「９」の「数字」キーなどの多数のキーを配列したキーパッドから構成される。表示部１０は、日付・時刻や電話番号などを表示する液晶ディスプレイから構成される。
【００１９】
このような構成では、携帯電話機１は、例えばユーザによる測位の開始を指示する操作が操作部９にてあった場合には、幾つかの基地局１３から当該基地局１３を表す基地局識別番号（Ｂａｓｅ−ＩＤ）を受信し、その受信された幾つかの基地局識別番号のうちからいずれかの基地局識別番号により表される基地局１３を例えば受信電波の受信電界強度などに基づいて自機１との間で通信する通信基地局として決定し、その通信基地局として決定された基地局１３を表す基地局識別番号を基地局１３、基地局制御装置１４ならびにＣＤＭＡ電話網１５を通じて位置情報サーバ１６に送信する。
【００２０】
位置情報サーバ１６は、携帯電話機１から基地局識別番号を受信すると、その受信された基地局識別番号に基づいて携帯電話機１のおおよその位置を特定すると共に、携帯電話機１がＧＰＳ衛星３を捕捉するのに有益なアシスト情報をＣＤＭＡ電話網１５、基地局制御装置１４ならびに基地局１３を通じて携帯電話機１に送信する。携帯電話機１は、位置情報サーバ１６からアシスト情報を受信すると、その受信されたアシスト情報に基づいてＧＰＳ衛星３を捕捉する。そして、捕捉したＧＰＳ衛星３より送信されるＧＰＳ信号をＧＰＳ受信部４によって受信すると、受信したＧＰＳ信号に基づいて測位を行うようになっている。
【００２１】
図１は、携帯電話機１の主にＧＰＳ受信部４と、ＣＤＭＡ送受信部５とを中心とする構成を示す機能ブロック図である。受信信号処理部１７は、制御部２の内部に配置されており、受信信号の復調処理（直交復調）などを行うものである。
【００２２】
ＧＰＳ受信部４は、バンドパスフィルタ（ＢＰＦ）１８，受信アンプ（ローノイズアンプ）１９，ＢＰＦ２０，ミキサ２１，ＢＰＦ２２などで構成されている。ＧＰＳ信号はアンテナ２３によって受信され、ダイプレクサ２４を介してＢＰＦ１８に与えられて、１５７５．４２ＭＨｚ帯の信号のみが受信アンプ１９に出力される。受信アンプ１９によって増幅された信号は、ＢＰＦ２０を介してミキサ２１に与えられ、受信信号と１．４６５２ＧＨｚの局発周波数信号とが混合される。そして、ミキサ２１の出力信号は１１０．２２ＭＨｚの中間周波数信号となり、ＢＰＦ２２を介して受信信号処理部１７に出力される。
【００２３】
一方、ＣＤＭＡ送受信部５は、ＣＤＭＡ受信部２５及びＣＤＭＡ送信部２６で構成されている。ＣＤＭＡ受信部２５は、受信アンプ２７，ＢＰＦ２８，ミキサ２９，ＢＰＦ３０などで構成されている。アンテナ２３によって受信された信号は、ダイプレクサ２４及びデュプレクサ３１を介して受信アンプ２７に与えられる。受信アンプ２７によって増幅された信号は、ＢＰＦ２８を介してミキサ２９に与えられ、受信信号と７００ＭＨｚ帯の局発周波数信号とが混合される。そして、ミキサ２９の出力信号は１１０ＭＨｚの中間周波数信号となり、ＢＰＦ３０を介して受信信号処理部１７に出力される。
【００２４】
尚、中間周波数をＧＰＳ側では１１０．２２ＭＨｚとし、ＣＤＭＡ側では１１０ＭＨｚとしているが、受信信号処理部１７内の第２の発振器（図示せず）の発振周波数を切り替えることでこれらの中間周波数の差を吸収するようにしている。但し、ＧＰＳ側とＣＤＭＡ側とで同じ中間周波数になるようにＰＬＬ発振回路３７の周波数を合わせるようにしても良い。
【００２５】
また、ＣＤＭＡ送信部２６は、送信信号処理部３２，ＢＰＦ３３，送信アンプ（パワーアンプ）３４Ａ及び３４Ｂ，カプラ３５及び検波器３６などで構成されている。送信信号処理部３２は、送信信号の変調処理（直交変調）などを行うものであり、その出力信号は、ＢＰＦ３３を介して送信アンプ３４Ａ及び３４Ｂに与えられる。また、送信信号処理部３２には、変調処理を行うために７００ＭＨｚ帯の局発周波数信号が与えられるようになっている。
【００２６】
送信アンプ３４Ａ及び３４は送信信号を増幅して出力し、その出力信号は、カプラ３５，デュプレクサ３１及びダイプレクサ２４を介してアンテナ２３より外部に送信される。尚、カプラ３５は、送信信号の一部を検波器３６に与えるために設けられており、検波器３６は、送信電力レベルを検出して図示しない制御部に出力するようになっている。
【００２７】
ここで、ＧＰＳ受信部４，ＣＤＭＡ受信部２５及びＣＤＭＡ送信部２６に夫々供給されている局発周波数信号は、以下の経路で供給されている。即ち、ＰＬＬ発振回路３７は７００ＭＨｚ帯の周波数信号を発信出力するように構成されており、その出力信号は、バッファ回路３８及び分配器３９を介してＧＰＳ側とＣＤＭＡ側との２系統に振り分けられる。
【００２８】
ＧＰＳ受信部４のミキサ２１には、分配器３９よりハイパスフィルタ（ＨＰＦ，フィルタ回路）４０を介して周波数信号が与えられるようになっている。また、ＣＤＭＡ受信部２５のミキサ２９及びＣＤＭＡ送信部２６の送信信号処理部３２には、分配器３９よりローパスフィルタフィルタ（ＬＰＦ，フィルタ回路）４１を介した後、更に分配器４２により受信側，送信側に振り分けられて周波数信号が与えられるようになっている。
【００２９】
次に、本実施例の作用について図２乃至図４をも参照して説明する。図２は、以上に述べた周波数４信号の供給系を中心として表した機能ブロック図であり、本実施例の作用を説明するものである。ＰＬＬ発振回路３７は、周知構成のものであり、位相比較部３７ａ，ＬＰＦ３７ｂ，ＶＣＯ(Voltage Controlled Oscillator) ３７ｃを接続することでループを構成している。このＰＬＬ発振回路３７より出力される信号は正弦波であり、周波数成分としては単一の周波数ｆ１（＝７００ＭＨｚ帯）のみを含んでいる。
【００３０】
バッファ回路３８は、詳細は後述するが、基本的な作用については従来と同様であり、ＰＬＬ発振回路３７より出力される信号を内部のトランジスタを非線形領域で動作させることで、ＶＣＯ３７ｃの出力レベルが変動する場合でも周波数信号の出力レベルが一定となるようにバッファリングを行っている。その結果、バッファ回路３８の出力信号波形は歪みを生じることになり、その周波数成分には、周波数ｆ１を基本波とする２倍高調波ｆ２，３倍高調波ｆ３，…などが含まれている。
【００３１】
そして、バッファ回路３８の出力信号は、分配器３９を介して２系統に振り分けられると、一方はＨＰＦ４０を介してＧＰＳ側に出力され、他方はＬＰＦ４１を介してＣＤＭＡ側に出力されている。即ち、ＧＰＳ受信部４において使用する局発周波数は１．４ＧＨｚ帯であり周波数ｆ２に相当する。従って、ＨＰＦ４０を介すことで基本波ｆ１を濾波し、周波数ｆ２がＧＰＳ受信部４に供給されるようにする。
【００３２】
尚、周波数ｆ３については、バッファ回路３８における元々の発生レベルは周波数ｆ２の信号成分よりも低いため、スプリアス干渉などを発生させることがないレベルであれば放置しても良い。影響が無視できないような場合は、ＨＰＦ４０をＢＰＦに置き換えて、周波数ｆ１，ｆ３の双方信号成分を濾波するように構成すれば良い。
【００３３】
また、ＣＤＭＡ側において使用する局発周波数は７００ＭＨｚ帯であり周波数ｆ１に相当する。従って、ＬＰＦ４１を介すことで２倍以上の高調波ｆ２，ｆ３，…を濾波し、周波数ｆ１のみがＣＤＭＡ受信部２５及び送信部２６に供給されるようにする。
【００３４】
図３は、バッファ回路３８の詳細な構成を示すものである。本実施例のバッファ回路３８は、図２で説明した作用により適合する回路動作をなすように構成されている。バッファ回路３８は、ＮＰＮ型のトランジスタ４２，ＬＰＦ型の整合回路４３，ＨＰＦ型の整合回路４４を中心として構成されている。
【００３５】
トランジスタ４２のベースには、カップリングコンデンサ４５が接続されている。また、電源ＶCCとコレクタとの間には抵抗（コレクタ抵抗）４６及びコイル４７の直列回路が接続されており、それらの共通接続点とベースとの間には抵抗４８が接続されていると共に、前記共通接続点とグランドとの間にはコンデンサ４９が接続されている。トランジスタ４２のエミッタは、グランドに接続されている。
【００３６】
更に、前記共通接続点とバッファ回路３８の出力端子との間には、コイル５０及びコンデンサ５１，５２の直列回路が接続されており、そのコンデンサ５１とコンデンサ５２との共通接続点とグランドとの間には、コイル５３が接続されている。
【００３７】
以上において、コイル４７，コンデンサ４９及びコイル５０はＬＰＦ型の整合回路４３を構成しており、コンデンサ５１，５２及びコイル５３は、ＨＰＦ型の整合回路４４を構成している。尚、ＰＬＬ発振回路３７を構成するＶＣＯ３７ｃの信号出力レベルは、トランジスタ４２を非線形領域で動作させるように設定されている。
【００３８】
そして、Ｔ型の整合回路４３は、周波数ｆ２に対して整合を図るように調整が行われた上で、周波数ｆ３以上の高調波を濾波するＬＰＦとしても作用するように遮断周波数が調整されている。また、Ｔ型の整合回路４４は、周波数ｆ１に対して整合を図るように調整が行われており、ＨＰＦとしては遮断周波数がｆ２よりも低くなるように調整されている。
【００３９】
尚、整合回路４３におけるコイル５０，整合回路４４におけるコンデンサ５２は、夫々インピーダンスの整合を図った上で、ＬＰＦ，ＨＰＦとしての遮断周波数が上述した所期の設定条件に合致せず、更に調整を行うために必要な場合に接続すれば良いもので、必ずしも必要な素子ではない。
【００４０】
図４には、比較のため、従来のように、ＰＬＬ発振回路より出力される単一の周波数信号（ｆ１）を使用することを目的として構成されるバッファ回路を、本実施例のように、２つのシステムで夫々異なる周波数信号（ｆ１，ｆ２）を使用する構成にそのまま適用することを想定した場合の構成例を示す。
【００４１】
図４におけるバッファ回路１００では、トランジスタ４２，コンデンサ４５，抵抗４６及びコイル４７ａについては、バッファ回路３８と同様に接続されている。そして、トランジスタ４２のコレクタと、バッファ回路１００の出力端子との間には、何れもπ型の３素子で構成される整合回路１０１，１０２とＬＰＦ１０３とが接続されている。整合回路１０１，１０２は、夫々周波数ｆ１，ｆ２の信号についてインピーダンス整合を図る回路であり、ＬＰＦ１０３は、周波数ｆ３以上の高調波成分を濾波するようにフィルタ特性が設定される。
【００４２】
斯様に構成されるバッファ回路１００では、素子数が多くなると共に、整合回路１０１，１０２の整合条件が互いに干渉することになり、両者の整合を最適に図ることができるとは限らない。
【００４３】
これに対して、本実施例のバッファ回路３８では、前段の整合回路４３において周波数ｆ３以上の高調波成分を濾波すると共に、高い方の周波数ｆ２について整合を図り、後段の整合回路４４では、ＨＰＦ型の回路により低い方の周波数ｆ１について整合を図っている。従って、後段の整合回路４４は、周波数ｆ２の信号成分には殆ど影響を及ぼすことがなく、周波数ｆ１，ｆ２の何れにについても整合を最適に図ることが可能となっている。
【００４４】
また、コイル４７ａは、基本的なバッファリング動作に必要なチョークコイル（周波数ｆ１，ｆ２に対して十分に高いインピーダンスを有する）であるが、本実施例のバッファ回路３８では、コイル４７はＬＰＦ型の整合回路４３の構成要素になっている。この点で、バッファ回路１００に比較して必要な素子数が削減されている。加えて、バッファ回路３８では、上述したようにフィルタ回路と整合回路との機能を共通化した構成を採用している。その結果、バッファ回路１００では、トランジスタ４２以降の素子数がコイル４７を含めて１０素子であるのに対し、バッファ回路３８は６素子で構成されており、トータルで４素子が削減されている。
【００４５】
以上のように本実施例によれば、携帯電話機１において、バッファ回路３８は、ＰＬＬ発振回路３７より出力される発振信号をバッファリングする際に、発振信号の周波数ｆ１を基本波とする高調波成分ｆ２，ｆ３，…をも同時に発生させて出力し、その出力信号を、ＨＰＦ４０，ＬＰＦ４１により夫々フィルタリングすることで、ＧＰＳ受信部４，ＣＤＭＡ送受信部５に必要な周波数信号を弁別して供給するように構成した。
【００４６】
従って、ＰＬＬ発振回路３７とバッファ回路３８との組み合わせにより副産物的に生成される高調波成分をＨＰＦ４０，ＬＰＦ４１によって適宜弁別するので、複雑な回路を必要とすることがない。そして、携帯電話機１にＧＰＳ受信部４，ＣＤＭＡ送受信部５のように異なる通信システムが搭載される場合でも、簡単な構成で１つのＰＬＬ発振回路３７を共用して夫々に必要な周波数信号を供給することができるので、装置を安価に構成することが可能となる。
【００４７】
また、本実施例によれば、バッファ回路３８において、整合回路４３をＬＰＦ型として基本波ｆ１の３倍以上の高調波成分を遮断すると共に、２倍高調波ｆ２に対してインピーダンス整合をとるように構成し、整合回路４４をＨＰＦ型として、基本波ｆ１に対してインピーダンス整合をとるように構成した。
【００４８】
即ち、バッファ回路３８は、ＧＰＳ受信部４とＣＤＭＡ送受信部５とが用いる２つの周波数ｆ１，ｆ２の信号の出力レベルを、その他の３倍以上の高調波成分（ｆ３，ｆ４，ｆ５，…）の出力レベルよりも予め高くして出力するので、その後段に配置されるＨＰＦ４０，ＬＰＦ４１における周波数の弁別を、より簡単に行うことができるようになる。即ち、これらのフィルタ回路の遮断特性を、余裕を持たせて設定することができる。
【００４９】
そして、整合回路４３，４４は、整合条件が互いに殆ど干渉することがなく、周波数ｆ１，ｆ２の何れについても整合を最適に図ることができる。また、整合回路４３，４４にフィルタ回路として機能を持たせたことに加えて、バッファリング動作に必要なコイル４７を整合回路４３の構成要素として共通化したので、バッファ回路３８を、バッファ回路１００に比較してより少ない素子数で構成することができる。
【００５０】
本発明は上記し且つ図面に記載した実施例にのみ限定されるものではなく、次のような変形または拡張が可能である。
分配器３９に代えて、バッファ回路３８の出力信号をＧＰＳ側とＣＤＭＡ側との何れか一方に択一的に振り分けるためのスイッチを配置しても良い。
ＣＤＭＡ送信部２６側において、周波数ｆ２の信号が大きな影響を及ぼさない場合には、ＬＰＦ４１を分配器４２の後段におけるＣＤＭＡ受信部２５側に配置しても良い。
通信特性上の問題や、回路規模が大きくなるという問題がない場合は、バッファ回路３８に代えてバッファ回路１００を使用しても良い。
発振回路はＰＬＬ発振回路３７に限ることなく、その他の構成の発振回路でも良い。
ＧＰＳ受信部４，ＣＤＭＡ送受信部５が搭載される携帯電話機１に限ることなく、異なる周波数信号を夫々必要とする通信システムが複数（３つ以上でも良い）搭載される通信装置に適用することができる。
【図面の簡単な説明】
【図１】本発明を、位置特定システムを利用可能に構成される携帯電話機に適用した場合の一実施例であり、携帯電話機の主にＧＰＳ受信部と、ＣＤＭＡ送受信部とを中心とする構成を示す機能ブロック図
【図２】本発明の作用を説明するもので、周波数信号の供給系を中心として表した機能ブロック図
【図３】バッファ回路の詳細な構成を示す図
【図４】比較のため、従来構成のバッファ回路を、本実施例の構成にそのまま適用することを想定した場合の構成例を示す図
【図５】携帯電話機の機能ブロックならびに周辺の構成を概略的に示す図
【符号の説明】
１は携帯電話機（通信装置）、４はＧＰＳ受信部（ＧＰＳ信号受信システム）、５はＣＤＭＡ送受信部（無線電話システム）、３７はＰＬＬ発振回路、、３８はバッファ回路、４０はハイパスフィルタ（フィルタ回路）、４１はローパスフィルタフィルタ（フィルタ回路）、４２はトランジスタ、４３はローパスフィルタ整合回路、４４はハイパスフィルタ型整合回路、４５はカップリングコンデンサ、４６は抵抗（コレクタ抵抗）、４７はコイル、４９はコンデンサを示す。
【図１】
0003753050.tif 000002
【図２】
0003753050.tif 000003
【図３】
0003753050.tif 000004
【図４】
0003753050.tif 000005
【図５】
0003753050.tif 000006